(57)【要約】      （修正有）【課題】魔法瓶に茶葉を封入したお茶パックを泳動自在に保持する給茶器を備えるのみで、簡易な構造でコストが抑えられ、また給茶の操作も容易である給茶魔法瓶を提供する。【解決手段】内容器から出た湯が注ぎ口からお茶になって給茶される給茶魔法瓶において、茶葉を封入したお茶パックを泳動自在に保持する給茶器を備え、給茶器が内容器の上部開口部に設けられ、内容器の湯が給茶器のお茶パックに含侵して通過することによりお茶になり、お茶が注ぎ口から給茶される。【選択図】図１
0003134225.tif 000002
【実用新案登録請求の範囲】
【請求項１】
内容器から出た湯が注ぎ口からお茶になって給茶される給茶魔法瓶において、
茶葉を封入したお茶パックを泳動自在に保持する給茶器を備え、
該給茶器が該内容器の上部開口部に設けられ、該内容器の湯が該給茶器のお茶パックに含侵して通過することによりお茶になり、該お茶が該注ぎ口から給茶されることを特徴とする給茶魔法瓶。
【請求項２】
前記給茶器が、薄板材をコイルバネ状に丸めて起立させた螺旋格子を備え、
該螺旋格子上に前記お茶パックを泳動自在に保持することを特徴とする請求項１記載の給茶魔法瓶。
【請求項３】
前記給茶器が、上下に貫通する螺刻された貫通孔を備えることを特徴とする請求項１記載の給茶魔法瓶。
【考案の詳細な説明】
【技術分野】
【０００１】
本考案は、内容器から出た湯が注ぎ口からお茶になって給茶される給茶魔法瓶に関する。
【背景技術】
【０００２】
従来より、お茶を給茶する場合は、予め茶葉を入れた急須に魔法瓶ややかん等から湯を注いでお茶を出し、その茶を湯飲みに注ぐようにする。このように、一般家庭では、予め湯を貯めた魔法瓶ややかんと、急須が用いられている。
【０００３】
また、オフィス等の大量に給茶する必要のある場所では、例えば特許文献１に示されるような給茶機能付き電気ポットが用いられている。この給茶機能付き電気ポットは、電気ポット本体と給茶機本体とが一体的に結合され、電気ポット本体には湯を貯める内容器、給湯ポンプ、湯の加熱保温用のヒータ及び湯の吐出口が設けられ、給茶機本体にはホッパ、給茶モータ、茶の吐出口がそれぞれ設けられ、電気ポット本体と給茶機本体の双方の動作を制御する制御手段を備えている。
【特許文献１】特開２００５−２９６０５４号公報
【考案の開示】
【考案が解決しようとする課題】
【０００４】
しかしながら、従来の給茶機能付き電気ポットでは、湯沸かしの機能を有するものの、構造が複雑で高価なため、少量のお茶を給茶する場合には適さない。
【０００５】
本考案は、このような事情に鑑みてなされたもので、魔法瓶に茶葉を封入したお茶パックを泳動自在に保持する給茶器を備えるのみで、簡易な構造でコストが抑えられ、また給茶の操作も容易である給茶魔法瓶を提供することにある。
【課題を解決するための手段】
【０００６】
請求項１記載の給茶魔法瓶は、茶葉を封入したお茶パックを泳動自在に保持する給茶器を備え、給茶器が内容器の上部開口部に設けられ、内容器の湯が給茶器のお茶パックに含侵して通過することによりお茶になり、お茶が注ぎ口から給茶されることを特徴とする。
【０００７】
請求項２記載の給茶魔法瓶は、給茶器が、薄板材をコイルバネ状に丸めて起立させた螺旋格子を備え、螺旋格子上にお茶パックを泳動自在に保持することを特徴とする。
【０００８】
請求項３記載の給茶魔法瓶は、給茶器が、上下に貫通する螺刻された貫通孔を備えることを特徴とする。
【考案の効果】
【０００９】
請求項１の考案によれば、魔法瓶に茶葉を封入したお茶パックを泳動自在に保持する給茶器を備えるのみで、簡易な構造でコストが抑えられ、また給茶の操作も容易である。
【００１０】
請求項２の考案によれば、給茶器の螺旋格子上にお茶パックを泳動自在に保持することから、螺旋格子を抜けた湯が渦巻き状の水流を伴ってお茶パックに到達することから、茶葉から茶の成分が抽出しやすく、効率的に給茶可能である。
【００１１】
請求項３の考案によれば、給茶器が上下に貫通する螺刻された貫通孔を備えることから、貫通孔を抜けた湯が渦巻き状の水流を伴ってお茶パックに到達することから、茶葉から茶の成分が抽出しやすく、効率的に給茶可能である。
【考案を実施するための最良の形態】
【００１２】
以下、本考案の形態について図面を参照しながら具体的に説明する。本考案の形態における給茶魔法瓶は、内容器から出た湯が注ぎ口からお茶になって給茶されるものである。図１は、本考案に係る給茶魔法瓶の一例を示す断面図である。図２は同給茶魔法瓶の給茶器の平面図であり、図３は同給茶器の縦断面図である。図４は、同給茶魔法瓶の使用方法を示す説明図である。
【００１３】
図において、給茶魔法瓶１は、魔法瓶に給茶器２０を備えたものである。具体的には、魔法瓶としての部分は、湯Ｙを貯える内容器１０とそれを覆う容器本体１１や、容器本体１１の上部に設けられ注ぎ口１３や取手１４を備える上部容器１２等から構成されている。内容器１０は、真空層を備える保温性のある容器で、上部はくびれて開口（上部開口１０ａ）している。上部容器１２は、注ぎ口１３及び内容器１０の上部開口１０ａに連通する上部開口１２ａを備え、その上部開口１２ａを塞ぐように蓋体１５が螺嵌されている。
【００１４】
また、内容器１０の上部開口１０ａを塞ぐように、筒状の給茶器２０が設けられている。給茶器２０は、円筒状の給茶器本体２１の内周面２２に、薄板材をコイルバネ状に丸めて起立させた螺旋格子２３を備えている。尚、螺旋格子２３の上方に、不織布や繊維製のネットを袋状にしたお茶パック３に茶葉を入れて載置することになる。
【００１５】
次に、以上のように構成された給茶魔法瓶１の使用方法を説明する。まず、上部容器１２から蓋体１５を外し、お茶パック３を給茶器２０に載置しない状態で、内容器１０に湯Ｙを入れる。そして、茶葉の入ったお茶パック３を給茶器２０の上に載置する。そして、蓋体１５を上部容器１２に螺嵌して、内容器１０の上部開口１０ａを塞ぐ。
【００１６】
給茶したい場合には、まず、蓋体１５を上方に緩め、内容器１０の上部開口１０ａと注ぎ口１３とが連通する状態とする。そして、図４に示すように、取手１４を握って、給茶魔法瓶１全体を傾けるようにする。すると、内容器１０に貯えられていた湯Ｙが、給茶器２０の底方向から螺旋格子２３の間を抜けて、その湯Ｙがお茶パック３に含侵して通過することによりお茶Ｃになり、上部開口１０ａを通って、そのお茶Ｃが注ぎ口１３から給茶されることになる。
【００１７】
以上のように、本実施例の給茶魔法瓶１によれば、従来の魔法瓶に茶葉を封入したお茶パックを泳動自在に保持する給茶器を備えるのみで、簡易な構造でコストが抑えられ、また給茶の操作も容易である。
【００１８】
また、給茶器２０の螺旋格子２３上にお茶パック３を泳動自在に保持することから、螺旋格子２３を抜けた湯Ｙが渦巻き状の水流を伴ってお茶パック３に到達することから、茶葉から茶の成分が抽出しやすく、効率的に給茶可能である。尚、湯Ｙの渦巻き状の水流により、お茶パック３自体も回転するように泳動し、効率よく茶葉の成分を抽出させることができる。
【００１９】
尚、給茶器２０は、内容器１０の上部開口１０ａに作り付けられたものであってもよいし、上部開口１０ａから着脱自在のものであってもよい。着脱自在の給茶器２０であれば、給茶器２０を装着することで従来の魔法瓶を、容易に給茶機能を有する給茶魔法瓶にすることができる。
【００２０】
尚、給茶器は、上述の螺旋格子２３を備えたものに限られず、例えば、図５及び図６に示す給茶器３０であってもよい。具体的には、給茶器３０は、円柱状の給茶器本体３１に上下に貫通する螺刻された貫通孔３２が穿設されている。この貫通孔３２は、図５に示すように、お茶パック３を挿嵌可能な大きさである。尚、貫通孔３２の下端（底孔３３）は、お茶パック３が落下しない程度の径になっている。給茶器３０の使用方法は、給茶器２０と同様である。
【００２１】
このような構造の給茶器３０によれば、給茶器３０が上下に貫通する螺刻された貫通孔３２を備えることから、貫通孔３２を抜けた湯が渦巻き状の水流を伴ってお茶パック３に到達することから、茶葉から茶の成分が抽出しやすく、効率的に給茶可能である。尚、湯Ｙの渦巻き状の水流により、お茶パック３自体も回転するように泳動し、効率よく茶葉の成分を抽出させることができる。
【００２２】
尚、図１では、内容器１０の上部開口１０ａを塞ぐ蓋体１５が、上部容器１２に螺嵌する構造になっていたが、魔法瓶を傾けることにより内容器内の湯Ｙが注ぎ口から注がれる構造であれば、構造によって限定されるものではない。例えば、図７に示すような、給茶魔法瓶２であってもよい。具体的に給茶魔法瓶２の魔法瓶としての部分は、湯Ｙを貯える内容器４０とそれを覆う容器本体４１や、容器本体４１の上部に設けられ注ぎ口４３を備える上部容器４２や取手４８を備えている。そして、容器本体４１には、上方を塞ぐ水切本体４４が装着されている。この水切本体４４から側方に伸び注ぎ口４３とに連通する水路４４ａは、内容器４０の上部開口４０ａとも連通している。
【００２３】
この内容器４０と水路４４ａとの間の水切本体４４には、内容器４０の上部開口４０ａを塞ぐ蓋体４５が螺嵌している。蓋体４５の下部には、水路４４ａと内容器４０の上部開口４０ａとの間を塞ぐ板状の本栓４６が設けられ、蓋体４５の上部に設けられたレバー４７をスライドさせることにより本栓４６が上下し、水路４４ａと内容器４０の上部開口４０ａとの間を開閉する。このような構造のものにも、本実施の形態の給茶器２０，３０を用いて給茶魔法瓶２とすることもできる。尚、給茶器２０，３０は、上述の通りである。
【産業上の利用可能性】
【００２４】
以上のように、本考案によれば、魔法瓶に茶葉を封入したお茶パックを泳動自在に保持する給茶器を備えるのみで、簡易な構造でコストが抑えられ、また給茶の操作も容易である給茶魔法瓶を提供することができる。
【図面の簡単な説明】
【００２５】
【図１】本考案に係る給茶魔法瓶の一例を示す断面図である。
【図２】同給茶魔法瓶の給茶器の平面図である。
【図３】同給茶器の縦断面図である。
【図４】同給茶魔法瓶の使用方法を示す説明図である。
【図５】給茶器の他の例を示す縦断面図である。
【図６】同給茶器の平面図である。
【図７】他の給茶魔法瓶の一例を示す断面図である。
【符号の説明】
【００２６】
１・・・・・魔法瓶
２・・・・・魔法瓶
３・・・・・お茶パック
１０・・・・内容器
１０ａ・・・上部開口
１１・・・・容器本体
１２・・・・上部容器
１２ａ・・・上部開口
１３・・・・注ぎ口
１４・・・・取手
１５・・・・蓋体
２０・・・・給茶器
２１・・・・給茶器本体
２２・・・・内周面
２３・・・・螺旋格子
３０・・・・給茶器
３１・・・・給茶器本体
３２・・・・貫通孔
３３・・・・底孔
４０・・・・内容器
４０ａ・・・上部開口
４１・・・・容器本体
４２・・・・上部容器
４３・・・・注ぎ口
４４・・・・水切本体
４４ａ・・・水路
４５・・・・蓋体
４６・・・・本栓
４７・・・・レバー
４８・・・・取手
【図１】
0003134225.tif 000003
【図２】
0003134225.tif 000004
【図３】
0003134225.tif 000005
【図４】
0003134225.tif 000006
【図５】
0003134225.tif 000007
【図６】
0003134225.tif 000008
【図７】
0003134225.tif 000009